(57)【要約】【課題】ソフトハンドオーバ中にサイト選択ダイバーシチを行う基地局における上りリンク信号のターボ復号の繰り返し回数を制御し、受信品質劣化時の無駄な処理時間および消費電力の削減を図る。【解決手段】ターボ復号制御部１３４は、ＤＰＣＣＨ抽出部１３２を通して受信したＦＢＩ情報中のプライマリセルＩＤに基づいて自局がプライマリセルであるか判定し、プライマリセルでなければ復号処理停止指示ＳＦをターボ復号部１３３へ出力する。ターボ復号部は、ＤＰＤＣＨ抽出部１３１を通して受信した移動機３のユーザデータのターボ復号を行う際、復号処理停止指示を受信すると現在実行中の繰り返し回数で繰り返しを終了し、復号処理停止指示を受信しなければ予め設定された規定回数まで繰り返しを続行する。【選択図】      図１
2004260561.tif 000002
【特許請求の範囲】
【請求項１】
移動機とＣＤＭＡ方式による無線通信を行い、他の基地局との間のソフトハンドオーバ時に前記移動機からのプライマリセルの指定情報に基づいてサイト選択ダイバーシチを行う基地局に用いられ、前記移動機からのターボ符号化されたユーザデータの復号を行うターボ復号回路において、
前記移動機からのプライマリセルの指定情報に基づいて当該移動機からのユーザデータに対するターボ復号の繰り返し回数を制御する手段を有することを特徴とするターボ復号回路。
【請求項２】
上りＤＰＤＣＨを通して受信した前記移動機からのユーザデータのターボ復号を行う際、外部から復号処理停止指示を受信すると現在実行中の繰り返し回数で繰り返しを終了し、前記復号処理停止指示を受信しなければ予め設定された規定回数まで繰り返しを続行する復号手段と、
上りＤＰＣＣＨを通して受信したＦＢＩフィールド中のプライマリセルＩＤと予め設定された自局のセルＩＤとを照合して自局がプライマリセルであるか否かを判定し、自局がプライマリセルでない場合は、前記復号処理停止指示を前記復号手段へ出力し、自局がプライマリセルである場合は、前記復号処理停止指示を出力しない制御手段とを有することを特徴とする請求項１記載のターボ復号回路。
【請求項３】
前記復号手段が、前記ユーザデータのターボ復号を行う際、現在実行中の繰り返し回数の値を出力し、
前記制御手段が、自局がプライマリセルでないと判定した場合に、前記復号手段から前記現在実行中の繰り返し回数の値を受信し、現在実行中の繰り返し回数が前記規定回数未満ならば前記復号処理停止指示を前記復号手段へ出力することを特徴とする請求項２記載のターボ復号回路。
【請求項４】
請求項１、２または３記載のターボ復号回路を有し、無線ネットワーク制御装置の下、他の基地局と共に移動機に対するサイト選択ダイバーシチを行い、自局がプライマリセルか否かに応じて前記移動機からのユーザデータに対するターボ復号の繰り返し回数を制御することを特徴とするＣＤＭＡ基地局。
【請求項５】
移動機とＣＤＭＡ方式による無線通信を行い、他の基地局との間のソフトハンドオーバ時に前記移動機からのプライマリセルの指定情報に基づいてサイト選択ダイバーシチを行う基地局に用いられ、前記移動機からのターボ符号化されたユーザデータの復号を行うターボ復号回路の復号制御方法において、
前記移動機からのプライマリセルの指定情報に基づいて当該移動機からのユーザデータに対するターボ復号の繰り返し回数を制御することを特徴とするターボ復号制御方法。
【請求項６】
制御手段で、上りＤＰＣＣＨを通して受信したＦＢＩフィールド中のプライマリセルＩＤと予め設定された自局のセルＩＤとを照合して自局がプライマリセルであるか否かを判定し、自局がプライマリセルでない場合は、復号処理停止指示を出力し、自局がプライマリセルである場合は、前記復号処理停止指示を出力せず、
復号手段で、上りＤＰＤＣＨを通して受信した前記移動機からのユーザデータのターボ復号を行う際、前記復号処理停止指示を受信すると現在実行中の繰り返し回数で繰り返しを終了し、前記復号処理停止指示を受信しなければ予め設定された規定回数まで繰り返しを続行することを特徴とする請求項５記載のターボ復号制御方法。
【請求項７】
前記復号手段で、前記ユーザデータのターボ復号を行う際、現在実行中の繰り返し回数の値を出力し、
前記制御手段で、自局がプライマリセルでないと判定した場合に、前記復号手段から前記現在実行中の繰り返し回数の値を受信し、現在実行中の繰り返し回数が前記規定回数未満ならば前記復号処理停止指示を前記復号手段へ出力することを特徴とする請求項６記載のターボ復号制御方法。
【発明の詳細な説明】
【０００１】
【発明の属する技術分野】
本発明はターボ復号回路、その復号制御方法及びそれを用いたＣＤＭＡ基地局に関し、特に移動機とＣＤＭＡ方式による無線通信を行い、他の基地局との間のソフトハンドオーバ時に移動機からのプライマリセルの指定情報に基づいてサイト選択ダイバーシチを行う基地局と、その基地局に用いられ移動機からのターボ符号化されたユーザデータの復号を行うターボ復号回路と、その復号制御方法とに関する。
【０００２】
【従来の技術】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式が次世代移動体通信（ＩＭＴ−２０００）のＦＤＤ（周波数分割多重）モードの無線アクセス方式として採用され、すでに第三世代携帯電話として商用サービスが行われている。一般的にＣＤＭＡでは、移動機（ＭＳ）が同時に複数の基地局（ＢＴＳ）と無線リンクを接続して通信を行うソフトハンドオーバによりセル周辺での受信品質の向上および無瞬断通信が実現できる。
【０００３】
しかし、１つのＭＳに対して複数のＢＴＳ（セル／セクタ）から下り個別物理チャネル（ＤＰＣＨ）を送信するため、サイトダイバーシチ利得が得られるものの干渉が増大することになり、ＭＳにおける受信品質が低下し、下り個別制御チャネル（ＤＰＣＣＨ）中のＴＰＣビットの復号が正しく行われなくなるため、上りリンクの送信パワーが不安定になり、ＢＴＳにおける受信品質劣化を招く恐れがある。この場合、ＢＴＳでは高速・高品質データ伝送に信頼度情報を更新しながら繰り返し復号を行うターボ復号を採用しており、伝送路状態（受信環境）が悪い場合は、できるだけ無駄な繰り返しを避けて処理時間および消費電力の削減を図るために、ターボ復号の繰り返し回数を小さくする処理が必要となる。そのような場合の対処の一手段として、受信信号対干渉波電力比（ＳＩＲ）に基づいてターボ復号の繰り返し回数を制御する技術が提案されている（例えば、特許文献１参照）。
【０００４】
【特許文献１】
特開２００２−１５２０５６号公報（第２頁、図２−３）
【０００５】
【発明が解決しようとする課題】
ソフトハンドオーバの中でサイト選択ダイバーシチ送信電力制御（ＳＳＤＴ）は、３ＧＰＰ（第３世代協力プロジェクト）で提案されているオプションの１つであり、下りの干渉量の増大を防ぐために、ＭＳ（移動機）に対して下りリンクのＤＰＣＨを送信する基地局（セル／セクタ）の候補を決めておき、ある時間では１つのセルのみから個別物理データチャネル（ＤＰＤＣＨ）を送信し、フェージング変動に追従するように、高速に送信セルを切り替える方法である。ただし、ＴＰＣビットを含む下り個別物理制御チャネル（ＤＰＣＣＨ）は複数のセルから送信され続ける。このため、ＳＳＤＴを行う場合でも、ＴＰＣビットの復号誤りによるＢＴＳ（基地局）における受信品質劣化を招く場合がある。
【０００６】
本発明の目的は、ＳＳＤＴ（サイト選択ダイバーシチ）を行う基地局（セル／セクタ）にて、上りリンクの受信品質の劣化時に、ＳＩＲ情報を使用しない新規な構成及び方法によりターボ復号の繰り返し回数の制御を行うことを可能としたターボ復号回路、その復号制御方法及びそれを用いたＣＤＭＡ基地局を提供することにある。
【０００７】
【課題を解決するための手段】
本発明の請求項１に係るターボ復号回路は、移動機とＣＤＭＡ方式による無線通信を行い、他の基地局との間のソフトハンドオーバ時に前記移動機からのプライマリセルの指定情報に基づいてサイト選択ダイバーシチを行う基地局に用いられ、前記移動機からのターボ符号化されたユーザデータの復号を行うターボ復号回路において、前記移動機からのプライマリセルの指定情報に基づいて当該移動機からのユーザデータに対するターボ復号の繰り返し回数を制御する手段を有する。
【０００８】
本発明の請求項２に係るターボ復号回路は、請求項１に係るターボ復号回路において、上りＤＰＤＣＨを通して受信した前記移動機からのユーザデータのターボ復号を行う際、外部から復号処理停止指示を受信すると現在実行中の繰り返し回数で繰り返しを終了し、前記復号処理停止指示を受信しなければ予め設定された規定回数まで繰り返しを続行する復号手段と、上りＤＰＣＣＨを通して受信したＦＢＩフィールド中のプライマリセルＩＤと予め設定された自局のセルＩＤとを照合して自局がプライマリセルであるか否かを判定し、自局がプライマリセルでない場合は、前記復号処理停止指示を前記復号手段へ出力し、自局がプライマリセルである場合は、前記復号処理停止指示を出力しない制御手段とを有する。
【０００９】
本発明の請求項３に係るターボ復号回路は、請求項２に係るターボ復号回路において、前記復号手段が、前記ユーザデータのターボ復号を行う際、現在実行中の繰り返し回数の値を出力し、前記制御手段が、自局がプライマリセルでないと判定した場合に、前記復号手段から前記現在実行中の繰り返し回数の値を受信し、現在実行中の繰り返し回数が前記規定回数未満ならば前記復号処理停止指示を前記復号手段へ出力する構成を有する。
【００１０】
本発明の請求項４に係るＣＤＭＡ基地局は、請求項１、２または３に係るターボ復号回路を有し、無線ネットワーク制御装置の下、他の基地局と共に移動機に対するサイト選択ダイバーシチを行い、自局がプライマリセルか否かに応じて前記移動機からのユーザデータに対するターボ復号の繰り返し回数を制御する構成を有する。
【００１１】
本発明の請求項５に係るターボ復号制御方法は、移動機とＣＤＭＡ方式による無線通信を行い、他の基地局との間のソフトハンドオーバ時に前記移動機からのプライマリセルの指定情報に基づいてサイト選択ダイバーシチを行う基地局に用いられ、前記移動機からのターボ符号化されたユーザデータの復号を行うターボ復号回路の復号制御方法において、前記移動機からのプライマリセルの指定情報に基づいて当該移動機からのユーザデータに対するターボ復号の繰り返し回数を制御する工程を有する。
【００１２】
本発明の請求項６に係るターボ復号制御方法は、請求項５に係るターボ復号制御方法において、制御手段で、上りＤＰＣＣＨを通して受信したＦＢＩフィールド中のプライマリセルＩＤと予め設定された自局のセルＩＤとを照合して自局がプライマリセルであるか否かを判定し、自局がプライマリセルでない場合は、復号処理停止指示を出力し、自局がプライマリセルである場合は、前記復号処理停止指示を出力せず、復号手段で、上りＤＰＤＣＨを通して受信した前記移動機からのユーザデータのターボ復号を行う際、前記復号処理停止指示を受信すると現在実行中の繰り返し回数で繰り返しを終了し、前記復号処理停止指示を受信しなければ予め設定された規定回数まで繰り返しを続行する工程を有する。
【００１３】
本発明の請求項７に係るターボ復号制御方法は、請求項６に係るターボ復号制御方法において、前記復号手段で、前記ユーザデータのターボ復号を行う際、現在実行中の繰り返し回数の値を出力し、前記制御手段で、自局がプライマリセルでないと判定した場合に、前記復号手段から前記現在実行中の繰り返し回数の値を受信し、現在実行中の繰り返し回数が前記規定回数未満ならば前記復号処理停止指示を前記復号手段へ出力する工程を有する。
【００１４】
【発明の実施の形態】
まず、本発明の概要を説明する。ＣＤＭＡ方式による移動無線通信システムにおいて、無線ネットワーク制御装置（ＲＮＣ）の下、基地局（ＢＴＳ）は、他の基地局と共に移動機（ＭＳ）に対するサイト選択ダイバーシチ（ＳＳＤＴ）を行っている。すなわち、ＭＳからの上り個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）のフィードバック情報（ＦＢＩ）には、ＭＳに対して下りリンクの個別物理チャネル（ＤＰＣＨ：Ｄｅｄｉｃａｔｅｄ  Ｐｈｙｓｉｃａｌ  Ｃｈａｎｎｅｌ）を送信する基地局（セル／セクタ）の候補情報（指定情報）が挿入されており、ある時間では１つのセルのみから下り個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）を送信し（他セルの下りＤＰＤＣＨの送信をオフにし、下りＤＰＣＣＨの送信は続ける）、高速な送信セルの切り替えを行う。
【００１５】
また、ＭＳは上りＤＰＤＣＨにターボ符号化されたユーザデータを挿入し送信する。基地局ではＭＳからの受信ユーザデータをターボ復号として繰り返し復号する。この受信ユーザデータが受信品質が劣化した場合に、できるだけ無駄な繰り返しを避けるために（処理時間および消費電力の削減を図るために）、繰り返し回数を小さくする処理が望ましい。
【００１６】
本発明では、基地局（及びそのターボ復号回路）においてＭＳからの上りＤＰＤＣＨ中のユーザデータをターボ復号する際、上りＤＰＣＣＨ中のＦＢＩ情報（プライマリセルの指定情報）を利用して、ターボ復号の繰り返し回数を制御する。具体的には、プライマリセルに指定された基地局（セル／セクタ）では、ターボ復号の繰り返しを規定回数分完全に行い、プライマリセルに指定されなかった基地局（セル／セクタ）では、規定回数未満でもターボ復号の繰り返しを中止するようにする。
【００１７】
ここでターボ復号の繰り返し回数について簡単に説明する。ターボ復号は、一度復号したデータを何度も何度も繰り返し復号することで、改善効果アップが期待できるが、受信環境によっては、完全に復号できるまでに必要な回数が異なってくる。しかし確率的な問題となってくるため、実験的検証にて、大体８〜１０回ぐらいで復号が完了するとみなせる。そこで、復号が完了できる最低の繰り返し回数を繰り返しの規定回数（デフォルト値）としている。本発明では、この規定回数を最大回数（Ｎｍａｘ）とし、最大回数に達する以前に繰り返しを中止できるようにしている。
【００１８】
次に、本発明の実施の形態について図面を参照して詳細に説明する。
【００１９】
図１は、本発明のＣＤＭＡ基地局及びターボ復号回路の一実施の形態を示すブロック構成図であり、ＣＤＭＡ移動通信システムのうち本発明に関係する箇所のみを示す。
【００２０】
図１において、無線ネットワーク制御装置（ＲＮＣ）２に有線伝送路を介して収容され、セルまたはセクタ対応に設けられて移動機（ＭＳ）３とＣＤＭＡ方式による無線通信を行う複数（２台のみ図示）のＣＤＭＡ基地局（ＢＴＳ）１（１−１〜１−２）が示されている。移動機３も図示は１台のみだが、複数配置することができる。
【００２１】
各ＣＤＭＡ基地局１（１−１〜１−２）は、同一構成であり、ＭＳ３からの上り無線信号を受信するアンテナ受信部１１（１１−１〜１１−２）と、アンテナ受信部１１で受信した信号の逆拡散処理を行う逆拡散部１２（１２−１〜１２−２）と、逆拡散部１２で逆拡散処理した各チャネルの信号復号を行うチャネル復号部１３（１３−１〜１３−２）と、チャネル復号部１３で復号されたデータチャネル信号から送信信号（情報ビット）を復元する情報源抽出部１４（１４−１〜１４−２）とを有している。
【００２２】
各チャネル復号部１３（１３−１〜１３−２）も同一構成であり、受信信号から上り個別物理データチャネルを抽出し必要なデータを出力するＤＰＤＣＨ抽出部１３１と、受信信号から上り個別物理制御チャネルを抽出し必要なデータを出力するＤＰＣＣＨ抽出部１３２と、ＤＰＣＣＨ抽出部１３２からのデータに基づいてＤＰＤＣＨ抽出部１３１からのデータにターボ復号を繰り返し行うターボ復号回路（ターボ復号部１３３及びターボ復号制御部１３４）とを含んでおり、その他にゲイン推定、Ｒａｋｅ合成、デインターリーブ等の機能を有する図示していない回路を含んでいる。
【００２３】
本発明のターボ復号回路は、上述したように、ターボ復号部１３３と、ターボ復号制御部１３４とから成る。
【００２４】
ターボ復号部１３３は、図示していないが、ターボ復号の規定繰り返し回数（Ｎｍａｘ）を記憶する手段と、ＤＰＤＣＨ抽出部１３１からのデータをターボ復号として、復号処理停止指示ＳＦを受信しない限り規定繰り返し回数まで繰り返しながら復号する手段とを有している。ターボ復号部１３３はまた、ターボ復号の現在実行中の繰り返し回数の値ＳＮを出力する手段を有することができる。
【００２５】
ターボ復号制御部１３４は、図示していないが、自局のＳＳＤＴ時のセルＩＤを記憶する手段と、この自局のセルＩＤとＤＰＣＣＨ抽出部１３２からのＦＢＩ情報により指定されるプライマリセルＩＤとにより自局がプライマリセルであるか否かを判定する手段と、この判定結果に基づき自局がプライマリセルでない（ノンプライマリセル）場合に、復号処理停止指示ＳＦをターボ復号部１３３へ出力する手段（繰り返し回数決定手段）とを有している。
【００２６】
ターボ復号制御部１３４はまた、ターボ復号の規定繰り返し回数（Ｎｍａｘ）を記憶する手段を有し、自局がプライマリセルでない場合に、上記繰り返し回数決定手段が、この規定繰り返し回数とターボ復号部１３３からのターボ復号の現在実行中の繰り返し回数ＳＮとを比較し、現在実行中の繰り返し回数ＳＮが規定繰り返し回数（Ｎｍａｘ）未満の場合に限り、復号処理停止指示ＳＦを出力するようにすることができる。
【００２７】
なお、ターボ復号の規定繰り返し回数を記憶する手段や自局のＳＳＤＴ時のセルＩＤを記憶する手段は、ターボ復号部１３３及びターボ復号制御部１３４に必ずしも設ける必要は無く、ターボ復号部１３３及びターボ復号制御部１３４から参照可能ならば、基地局（ＢＴＳ）１のどこに設けてもよい。
【００２８】
このように本発明のターボ復号回路は、通常のターボ復号機能を有するターボ復号部１３３に対し、上りＤＰＣＣＨのＦＢＩ情報を利用してターボ復号の繰り返し回数を制御するターボ復号制御部１３４を新たに設けた構成となっており、通常のターボ復号回路に比べて、新たに大きな回路変更なく実現可能である。
【００２９】
ターボ復号回路におけるターボ復号の規定繰り返し回数は、基地局１の立ち上がり時に、図示していない信号処理部（ＤＳＰなどで構成）の初期セットアップにより設定される。
【００３０】
また、ＳＳＤＴ時のセルＩＤは、ＳＳＤＴ設定ごとに、ＲＮＣ２で決定され、下り共通チャネル（ＰＣＣＰＨＣ）を通じて、ＭＳ３及び各ＢＴＳ１に通知される。
【００３１】
ＲＮＣ２は、図示していないコアネットワークに収容され、コアネットワークを通して接続された他ネットワーク収容の端末とＭＳ３との通信、あるいはＭＳ３相互間の通信を可能とする。ＲＮＣ２は、ＭＳ３に対する各ＢＴＳ１のＳＳＤＴを制御する。すなわち、ＳＳＤＴの起動、終端、割当ては、すべてＲＮＣ２からのシグナリング（命令）で行われる。各ＢＴＳ１（１−１〜１−２）の情報源抽出部１４（１４−１〜１４−２）で抽出されたデータ（ＭＳ３から送信された情報ビット）はＲＮＣ２に届けられ、どのデータを選択するかはＲＮＣ２が決定する。このＲＮＣ２も複数設けることができる。
【００３２】
図２は、移動機（ＭＳ）３からＣＤＭＡ基地局（ＢＴＳ）１へ送信される上り個別物理チャネル（ＤＰＣＨ）のフレーム構成を示す図である。
【００３３】
次に、図１及び図２を参照して動作を説明する。
【００３４】
移動機（ＭＳ）３から送信された信号は、各ＣＤＭＡ基地局（ＢＴＳ）１、例えば、ＢＴＳ１−１内のアンテナ受信部１１−１において復調後、逆拡散部１２−１において逆拡散され、チャネル復号部１３−１では、個別物理制御チャネル（ＤＰＣＣＨ）の中のパイロットシンボルを用いた各パスのチャネルゲインの推定、最大比合成（Ｒａｋｅ合成）、デインターリーブおよび誤り訂正復号が行われる。なお、ゲイン推定、Ｒａｋｅ合成、デインターリーブの各動作は本発明に直接関係しないため、詳細説明を省略する。
【００３５】
チャネル復号部１３−１のターボ復号部１３３では、ＤＰＤＣＨ抽出部１３１から得られる受信データを元に信頼度情報を更新しながら復号を実行する。復号終了後、硬判定処理が行われ、情報源抽出部１４−１にて情報ビットが抽出される。
【００３６】
図２に示すように、ＤＰＣＣＨは物理レイヤでの制御情報を伝送し、制御情報は、同期検波でのチャネル推定に用いる既知のパタンのパイロットビット（ＰＩＬＯＴ）、送信電力コマンド（ＴＰＣ）、フィードバック情報（ＦＢＩ）、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）で構成される。特にＦＢＩフィールドは閉ループ送信ダイバーシチやサイト選択ダイバーシチ（ＳＳＤＴ）の制御のためにＭＳ３からＢＴＳ１に対して送信される情報を含んでいる（ＤＰＣＣＨにて使用するスロットフォーマットは、ＦＢＩが使用されているとして説明する）。
【００３７】
ＭＳ３は定期的にＦＢＩのＳフィールドを用いてプライマリセルＩＤを送信してくるため、ＢＴＳ１はこのプライマリセルＩＤから自セルをプライマリセルもしくはノンプライマリセルと認識する。自セルがプライマリセルと判断された場合には、通常のターボ復号動作を行う。また、ノンプライマリセルと判定されたＢＴＳ１はＤＰＤＣＨを送信ＯＦＦする（ＤＰＣＣＨは通常動作）。
【００３８】
このとき、本来ターボ復号は、受信データ（ＤＰＤＣＨ）を最初に設定された規定回数（Ｎｍａｘ）だけ反復するよう動作しているが、自セルがノンプライマリセルとなった場合には、規定回数に満たなくても復号処理を終了するように動作させる。
【００３９】
このように本発明では、受信ＦＢＩビットを伝送路状態の目安とし、最初に指定されている繰り返し回数以下の回数で復号終了できる回路を実現する。ＦＢＩビットによる復号終了通知前に、すでに最終繰り返し回数になっている場合には、復号処理はそのまま最後まで続行させる。
【００４０】
次に、図１及び図２とともに、動作フローを示す図３を参照してターボ復号制御部１３４の動作について詳細に説明する。
【００４１】
ターボ復号制御部１３４においては、まずＤＰＣＣＨ抽出部１３２で復号が終了して得られた制御ビットからＦＢＩビット（プライマリセルＩＤ）を抽出する（ステップＳ１）。次に得られたＦＢＩビットから自セルがプライマリセルかプライマリセルでない（ノンプライマルセル）かの判定を行い（ステップＳ２）、繰り返し回数決定手段へ繰り返し回数変更有り（自セルがノンプライマルセルの場合）／無し（自セルがプライマルセルの場合）の通知をする。繰り返し回数決定手段では、変更通知有りの時には、現在実行中の繰り返し回数を設定した規定繰り返し回数の値（Ｎｍａｘ）と比較し（ステップＳ３）、現在実行中の繰り返し回数の方が小さい回数の場合は、ターボ復号部１３３に復号処理停止指示を出力することにより、次の繰り返し復号は行わず処理を停止させ（ステップＳ４）、情報源抽出部１４にて情報ビットが抽出される。
【００４２】
ステップＳ２の処理で、自セルがプライマリセルの場合、及びステップＳ３の処理で、現在実行中の繰り返し回数が既に規定繰り返し回数に達している場合は、ターボ復号部１３３に規定繰り返し回数を完全に実行させる（ステップＳ５）。
【００４３】
なお、前述したように、ターボ復号制御部１３４は、自セルがプライマリセルでない（ノンプライマルセル）と判明した時点で直ちに、ターボ復号部１３３に復号処理停止指示を出力するようにすることができる。ターボ復号部１３３は、復号処理停止指示を受信すると、現在実行中の繰り返し回数の処理を終了した時点で、次の繰り返し復号は行わず処理を停止する。このため、現在実行中の繰り返し回数が既に規定繰り返し回数に達している場合は、規定繰り返し回数を完全に実行してから処理を終了することになり、上述の動作と変わらない。
【００４４】
【発明の効果】
本発明によれば、ソフトハンドオーバ中にサイト選択ダイバーシチを行う際、各基地局における移動機からの上りリンク信号の受信品質劣化をまねく恐れがある場合に、プライマリセルでない基地局においてターボ復号の繰り返し回数を規定回数より少なくするので、受信品質の低下を防ぎ、無駄な処理時間および消費電力の削減が図れる。
【図面の簡単な説明】
【図１】本発明の一実施の形態を示すブロック構成図である。
【図２】上り個別物理チャネルのフレーム構成を示す図である。
【図３】図１に示すターボ復号制御部の動作フローを示す図である。
【符号の説明】
１（１−１〜１−２）    ＣＤＭＡ基地局（ＢＴＳ）
１３（１３−１〜１３−２）    チャネル復号部
１３１    ＤＰＤＣＨ抽出部
１３２    ＤＰＣＣＨ抽出部
１３３    ターボ復号部
１３４    ターボ復号制御部
【図１】
2004260561.tif 000003
【図２】
2004260561.tif 000004
【図３】
2004260561.tif 000005